(57)【要約】【課題】申し込み用紙などを提出する際に、第三者に見られたくない個人情報部分を帳票に形成されたシールで保護する、安価で、かつ、資材を無駄にしない保護シール付き帳票を提供する。【解決手段】前記の課題の目的を達成するために、２枚以上の紙片が端部で綴じ合わされ、一部が提出紙片となっている帳票において、提出紙片に記載された個人情報の少なくとも一部を保護するための保護シールが、前記端部に形成された保護シール付帳票を提供する。【選択図】  図１
2005324372.tif 000002
【特許請求の範囲】
【請求項１】
２枚以上の紙片が端部で綴じ合わされ、一部が提出紙片となっている帳票において、
提出紙片に記載された個人情報の少なくとも一部を保護するための保護シールが、前記端部に形成されたことを特徴とする保護シール付き帳票。
【請求項２】
請求項１に記載の保護シール付き帳票において、保護シールは紙片の一部を使用して形成されたことを特徴とする保護シール付き帳票。
【請求項３】
請求項２に記載の保護シール付き帳票において、保護シールは切取り部で区切られ、複数形成されたことを特徴とする保護シール付き帳票。
【請求項４】
請求項２〜３何れかに記載の保護シール付き帳票において、保護シールには、再剥離再貼付可能な粘着剤が形成されたことを特徴とする保護シール付き帳票。
【請求項５】
請求項２〜３何れかに記載の保護シール付き帳票において、保護シールは、不透明基材／剥離可能な接着剤／透明基材／粘着剤からなる積層体であることを特徴とする保護シール付き帳票。
【発明の詳細な説明】
【技術分野】
【０００１】
本発明は、保護シール付き帳票に関し、詳しくは、申し込み用紙などを提出する際に、第三者に見られたくない個人情報部分を帳票に形成されたシールで保護する、保護シール付き帳票に関する。
【背景技術】
【０００２】
従来、クレジットカード等の入会申し込み用紙を送付する場合は、自宅で申し込み用紙に記入し、申し込み用紙を封筒に入れて送付していた。
このような封筒を使用する方法は、郵送料金が高いため、郵送料金が安い葉書を使用する方法が検討されてきた。葉書を使用する方法の一つとして、控えを作成できるとともに複写機能を有し、複写記入部に直接、追加記入や捺印することができ、二つ折り葉書として郵送可能で、郵送時に記入事項を外部から視認できない状態にできる葉書用シートが開示されている（例えば特許文献１参照）。
【０００３】
この開示されている技術によれば、葉書本体シートの表面側に宛名表示部と複写記入部を設け、裏面側にはこのシートに、貼着シートを剥離可能に接着するための接着構造を設け、貼着シートの裏面側に、貼着シートを葉書本体シートの表面側に折り重ねた時に複写記入部に、上下に対応位置する記入部を設け、折り重ね状態で記入部に記入した事項が複写記入部に複写できるように、葉書本体シートの表面側に、複写記入部に対接する複写カーボン部材を設けた複写シートを分離可能に設け、複写シートの複写カーボン部材と重ならない位置に、複写記入事項を被覆隠蔽するための隠蔽ラベルを剥離可能に設けるというものである。
【０００４】
一方、クレジット会社間の競争が激しくなるにつれて、顧客獲得のために、ショッピングセンター，加盟店，タクシーの中などに申し込み用紙を置いて、入会促進を行うようになった。しかし、自宅以外の場所での入会手続が行われるようになると、入会申し込み用紙などに記載された個人情報が記載時，申し込み時等に覗き見されるという問題が発生してきた。
【０００５】
【特許文献１】特開２０００−３０９１７９号公報
【発明の開示】
【発明が解決しようとする課題】
【０００６】
前述の開示技術によって作製された帳票は、使用方法が複雑で、しかも、貼付するラベルの材料費と製造コストが掛るという問題がある。
そこで、本発明では、申し込み用紙などを提出する際に、第三者に見られたくない個人情報部分を帳票に形成されたシールで保護する、安価で、かつ、資材を無駄にしない保護シール付き帳票を提供する。
【課題を解決するための手段】
【０００７】
前記の課題の目的を達成するために、本発明の保護シール付き帳票の請求項１に記載の発明は、２枚以上の紙片が端部で綴じ合わされ、一部が提出紙片となっている帳票において、提出紙片に記載された個人情報の少なくとも一部を保護するための保護シールが、前記端部に形成されたことを特徴とするものである。
【０００８】
また、請求項２に記載の発明は、請求項１に記載の発明において、保護シールは紙片の一部を使用して形成されたことを特徴とするものである。
【０００９】
また、請求項３に記載の発明は、請求項２に記載の発明において、保護シールは切取り部で区切られ、複数形成されたことを特徴とするものである。
【００１０】
また、請求項４に記載の発明は、請求項２〜３何れかに記載の発明において、保護シールには、再剥離再貼付可能な粘着剤が形成されたことを特徴とするものである。
【００１１】
また、請求項５に記載の発明は、請求項２〜３何れかに記載の発明において、保護シールは、不透明基材／剥離可能な接着剤／透明基材／粘着剤からなる積層体であることを特徴とするものである。
【発明の効果】
【００１２】
１）請求項１に記載のように、２枚以上の紙片が端部で綴じ合わされ、一部が提出紙片となっている帳票において、提出紙片に記載された個人情報の少なくとも一部を保護するための保護シールが、前記端部に形成されたことによって、申し込み用紙などを提出する際に、第三者に見られたくない個人情報部分を帳票に形成されたシールで容易に保護することができ、従来から使用している帳票の基本仕様を変更することなく、安価で、かつ、資材を無駄にしない保護シール付き帳票を提供することができる。
２）また、請求項２、及び請求項３に記載のように、保護シールは紙片の一部を使用して形成され、切取り部で区切られ、複数形成されたことによって、安価で、かつ、資材を無駄にしない保護シール付き帳票を提供することができる。
３）また、請求項４、及び請求項５に記載のように、請求項２〜３何れかに記載の発明において、保護シールには、再剥離再貼付可能な粘着剤が形成されたことによって、また、保護シールは、不透明基材／剥離可能な接着剤／透明基材／粘着剤からなる積層体であることによって、提出された申し込み帳票等を受け取った側で、保護シールを剥して、そこに記載された個人情報を読取ることができる。
【発明を実施するための最良の形態】
【００１３】
以下、図面を参照して、本発明の保護シール付き帳票について説明する。
図１は、本発明の保護シール付き帳票の一例について説明するための図，図２は、保護シール付き帳票に必要事項が記入されて、１枚目が切り離された状態について説明するための図，図３は、２枚目の帳票に保護シールを貼付した状態について説明するための図，図４は、本発明の保護シール付き帳票の他の一例について説明するための図，図５は、図１のＡ−Ａ線断面図，図６は、保護シールの一例について説明するための図，図７は、保護シールの他の一例について説明するための図，である。
【００１４】
図１を参照して、本発明の保護シール付き帳票の一例について説明する。
図１に示す本発明の保護シール付帳票１は、顧客控え帳票片，店控え帳票片，申し込み帳票部である提出帳票片，その他金融機関提出帳票片等、複数の帳票紙片が図の左端部で接着剤などによって接合された複写帳票の一例である。
まず、１枚目紙片１１の下部には、２枚目、３枚目の帳票が端部１４で表示しないが、接着，ホチキス，クリンプなどの方法によって接合されている。
１枚目紙片は、例えば、顧客控伝票になっていて、顧客が記入した情報を控として保管できるようになっている。
保護シール付帳票１は、ノーカーボン紙を使用したり、１，２枚目の記入欄の裏側に複写カーボンを印刷などの方法によって形成した複写構造にして、２枚目紙片，３枚目紙片に対し、１枚目紙片１１に記入された情報が複写されるように作製される。
【００１５】
本実施の形態では、１枚目紙片１１の延長上、端部１４に、保護シール１１１が形成される。つまり、１枚目紙片１１の一部を保護シール１１１として利用する。
保護シール１１１が形成された端部１４付近には、保護シール１１１が１枚目紙片１１から切取ることができるように、切取りミシンや、ハーフカットなどの方法によって切取りミシン１１５が形成されている。
１枚目紙片の場合は、図でも解るように切取り部１１３は、切取りミシン１１５を兼用することもできる。
保護シール１１１には、「年収欄」，「口座番号欄」などの文字が印刷され、保護シール１１１が切取られた後、どこに使用されるか容易に判るようになっている。
また、保護シール１１１は、記入された個人情報などを十分に保護できる大きさに設計されている。
保護シールの裏側（「年収欄」，「口座番号欄」などの文字が印刷されていない面）には、再剥離再貼付可能な粘着剤、または、剥離可能な接着剤／透明基材／粘着剤からなる積層体が形成されていて、剥された保護シール１１１が、容易に記入された個人情報欄に貼付できるようになっている。
【００１６】
本実施の形態では、保護シール付帳票１をクレジットカードの入会申込書の例で説明する。
保護シール付帳票１の１枚目紙片１１には、「○○カード入会申込書」と印刷されており、顧客情報記入欄１１２には、「氏名」，「ふりがな」，「生年月日」，「住所」，「居住形態」，「電話番号」，例えば、会社名などの「お勤め先」の名前，勤め先の「電話番号」，「入社年」，現在の「年収（単位；万円）」，利用金額を引き落とすための金融機関名と引落口座番号を記入する「支払い口座，銀行名，支店名」，「口座の種別、口座番号」等の記入欄が印刷によって設けてある。
ボールペンなどの複写用筆記具によって前記記載事項を記入した後、１枚目紙片１１を端部１４に形成された切取り部１１３、または、切取りミシン１１５によって複写帳票の綴りから切取る。
１枚目紙片１１が切取られた複写帳票１には、２，３枚目紙片と端部１４に形成された「口座番号欄」と「年収欄」の保護シール１１１が残される。
【００１７】
図２を参照して、保護シール付き帳票に必要事項が記入されて、１枚目が切り離された状態について説明する。
記入が終わったら、顧客は、１枚目紙片１１を切取って控として保管する。
顧客情報記入欄１１２には前述の個人情報が記載されている。
１枚目紙片１１の年収欄１１２１と、金融機関の口座番号欄１１２２には、網点，斜線，カラー表示などの方法で記載範囲を示す強調表示が施されている。
また、記載欄の強調と共に記入された金額が離れた場所から覗き見られても読取りにくい状態になっている。
【００１８】
図３を参照して、２枚目の帳票に保護シールを貼付した状態について説明する。
１枚目紙片を切取って、複写された２枚目紙片１２の年収欄１２２１に「年収欄」保護シール１１１を、口座番号欄１２２２に「口座番号欄」保護シール１１１を、図３のように貼付する。
保護シール１１１が剥ぎ取られた端部１４には、剥離剤塗布部１２１が表出する。
図示しないが、２枚目紙片１２の年収欄１２２１と、金融機関の口座番号欄１２２２の裏側には、網点，斜線，カラー表示などの方法で透視防止印刷が施されており、複写された金額や、口座番号が紙片を透かして見ても読取ることができないようになっている。
【００１９】
顧客は、保護シールが貼られた２枚目紙片１２と、端部１４で接着された３枚目紙片を店に提示する。
店の担当は、２枚目紙片１２を切取りミシン１２３で端部１４から切り離し、２枚目紙片１２をクレジット会社に送付する。
３枚目紙片は、店控として厳重な管理の元で保管する。なお、３枚目紙片には「年収」」と、「口座番号」は複写されないようになっており、前記店控には前記「年収」」，「口座番号」情報は残らない。
【００２０】
図４を参照して、本発明の保護シール付き帳票の、他の一例について説明する。
図４と、図１に示した実施形態が異なる部分は、１枚目紙片１１の端部１４に形成された保護シール１１１の位置である。
顧客による個人情報の記入が終わると、１枚目紙片１１は、切取りミシン１１５によって保護シール付帳票１の端部１４から切り離される。
切取られた１枚目紙片１１の切取り部１１３によって、保護シール１１１が切り離され、年収欄１１２１，口座番号欄１１２２，その他の記入情報の上に貼付される。
図４に示すような構成にすれば、余分な費用を掛けることなく保護シールの枚数を必要な枚数に増やすことができる。
【００２１】
図５を参照して、図１のＡ−Ａ線断面について説明する。
保護シール付帳票１は、１枚目紙片１１，２枚目紙片１２，３枚目紙片１３が重ねられ、端部で接着されて綴じられている。
前記１枚目紙片１１と２枚目紙片１２は、保護シール１１１の裏側に塗布された接着構造部１１４で接着されている。
前記接着構造部１１４が対向する２枚目紙片の端部表面には、剥離剤塗布部１２３が形成されている。
前記接着構造部１１４は、再剥離再貼付可能な粘着剤や、剥離可能な接着剤／透明基材／粘着剤からなる積層体で構成される。
２枚目紙片１２と、３枚目紙片１３は、接着剤１４３によって接着されている。
【００２２】
１枚目紙片１１には、切取り部１１３（１１５）が形成され、２枚目紙片１２，３枚目紙片１３には、切取りミシン１２３，１３３が形成されている。
【００２３】
図６を参照して、保護シールの一例について説明する。
図６に示す構成は、図１の断面図である図５のＢ部の１部を拡大したものであり、１枚目紙片１１の延長上に形成された保護シール１１１の下部には、接着構造部１１４が形成されている。
図６に示す接着構造部１１４は、剥離可能で再接着（再粘着）可能な粘着剤の例である。
製造装置（丁合装置）に、コータ−ユニット，乾燥ユニットが無い場合で、印刷装置にコータ−ユニット，乾燥ユニットを備えている場合は、１枚目紙片１１の印刷面に印刷インキなどによる剥離層を形成し、１枚目紙片の印刷、粘着剤加工を行った後一旦巻き取って、丁合装置で複写帳票としても良い。
【００２４】
１枚目紙片基紙として、重さ４０〜６４ｇ／ｍ2の上質紙，複写用紙，コート紙，アート紙などから選択して使用する。
また、粘着剤としては、限定されるものではないが、多くは弱粘着性のアクリル系粘着剤が使用される。
【００２５】
図７を参照して、保護シールの他の一例について説明する。
図７に示す構成は、図１の断面図である図５のＢ部の１部を拡大したものである。
１枚目紙片１１の延長上に形成された保護シール１１１の下部に形成された接着構造部１１４が形成されている。
図７に示す接着構造部１１４は、剥離可能な接着剤１１１０／（剥離剤１１１１）／透明基材１１１２／粘着剤１１１３からなる積層体の例である。
前記接着構造部１１４は、接着剤１１１０と透明基材１１１２との間で剥離、または、接着剤間で層間剥離するタイプの接着テープで、市販のテープを使用する。
前記、市販のテープは、粘着剤１１１３と、接着剤１１１０の間に両面剥離紙を介してロール状に巻いてある。
【００２６】
（材料）
図５を参照して、使用される材料の一例について説明する。
１枚目紙片１１，２枚目紙片１２，３枚目紙片１３の基紙には、前述のように重さ４０〜６４ｇ／ｍ2の上質紙，複写用紙，コート紙，アート紙などから選択的に使用される。
接着構造部１１４が、粘着剤の場合は、再剥離再貼付可能な粘着剤、例えば、微球タイプ（日本カーバイト社製Ｂ−７５８９）や、粘着剤に硬化剤を添加したタイプ等を使用することができる。
接着構造部１１４が、剥離可能な接着剤／透明基材／粘着剤からなる積層体の場合は、市販の多層粘着テープを使用する。
剥離剤１２１としては、例えば、オフセットインキでは、（株）Ｔ＆Ｋ  ＴＯＫＡ社製「ＵＰ−２００」，「ＵＰ−２」のようにＵＶインキにシリコーンオイルを添加したものや、シリコーンアクリレートを添加したものが使用されるが、シリコーンアクリレートを添加したものが好適である。また、オフセットインキ以外に、通常の白金触媒を利用する熱硬化型剥離インキを使用することもできる。
前述の再剥離再貼付可能な粘着剤に対しては、ＵＶ型オフセットメジウムや通常のオフセットインキを使用することができる。
また、接着剤１４３としては、澱粉系，酢酸ビニル系，ＥＶＡ系，ポリウレタン系，ポリビニルアルコール系，アクリル系その他から選択的に使用する。
【００２７】
（製造方法）
図５を参照して、本発明の保護シール付き帳票の、製造方法の一例について説明する。
まず、ノーカーボン紙を使用して、紫外線（ＵＶ）乾燥ユニットを有するロールツーロール式のオフセット輪転印刷機によって１枚目紙片１１，２枚目紙片１２，３枚目紙片１３の片面、または両面に所定の印刷を行う。印刷の際に、（縦）切取りミシン１１３，１２３，１３３と、切取り部１１３を形成する。更に、２枚目紙片１２の端部に、印刷インキによる剥離剤塗布部１２１を形成する。
次に、接着剤塗布ユニット，近赤外ランプ式乾燥ユニットを備えた丁合装置に、１枚目紙片１１，２枚目紙片１２，３枚目紙片１３のロールをセットし、１枚目紙片１１の裏面の端部に粘着剤を塗布し、乾燥させて２枚目紙片１２の剥離剤形成部を接着させ，２枚目紙片１２と、３枚目紙片１３をエマルジョン接着剤で帳合し、最終ユニットで単票にカットし保護シール付き帳票を作製する。
前記接着構造部１１４として、剥離可能な接着剤／透明基材／粘着剤からなる積層体を使用する場合は、前記１枚目紙片１１をセットしたユニットと、２枚目紙片１２のユニットの間に前記積層体ロールをセットし、剥離紙を剥しながら２枚目紙片１２のロール紙上に接着させてゆく。この場合は、２枚目基紙の端部に形成される剥離剤処理部１１４は印刷の際に省略する。
【産業上の利用可能性】
【００２８】
提出される紙片に保護されるべき個人情報が記載される、例えば、申し込み帳票のような帳票全般に使用することができる。
【図面の簡単な説明】
【００２９】
【図１】本発明の保護シール付き帳票の一例について説明するための図である。
【図２】保護シール付き帳票に必要事項が記入されて、１枚目が切り離された状態について説明するための図である。
【図３】２枚目の帳票に保護シールを貼付した状態について説明するための図である。
【図４】本発明の保護シール付き帳票の、他の一例について説明するための図である。
【図５】図１のＡ−Ａ線断面図である。
【図６】保護シールの一例について説明するための図である。
【図７】保護シールの他の一例について説明するための図である。
【符号の説明】
【００３０】
１      保護シール付き帳票
１１    １枚目紙片
１２    ２枚目紙片
１３    ３枚目紙片
１４    端部
１１１  保護シール
１１２，１２２  顧客情報記入欄
１１３  切取り部（切取りミシン）
１１４  接着構造部
１１５，１２３，１３３  切取りミシン
１２１  剥離剤（剥離剤塗布部）
１４３  接着剤
１１１０  接着剤層
１１１１  剥離剤層
１１１２  透明層
１１１３  粘着剤層
１１２１，１２２１  年収記載欄
１１２２，１２２２  口座番号記載欄
【図１】
2005324372.tif 000003
【図２】
2005324372.tif 000004
【図３】
2005324372.tif 000005
【図４】
2005324372.tif 000006
【図５】
2005324372.tif 000007
【図６】
2005324372.tif 000008
【図７】
2005324372.tif 000009